(57)【要約】【課題】列車内や携帯電話使用禁止施設においての携帯電話の通話を制限することができる通話制限システムを提供する。【解決手段】列車での携帯電話の通話を制限する通話制限システムであって、予約サーバ１００と携帯電話中央サーバ４００と交換機５００と予約端末２００，３００がネットワークにより接続された構成をとり、予約サーバ１００が予約端末２００，３００からのネットワークを通した操作により、列車の利用予約手続きを行うときに用いられ、利用予約手続きは、予約者の携帯電話の電話番号を含むデータの入力を行い、列車を利用する時間は、交換機により予約者の電話番号の携帯電話への接続、あるいは予約者の電話番号の携帯電話からの交換機との接続を禁止し、携帯電話を用いての通話を制限する。【選択図】  図１
2004194061.tif 000002
【特許請求の範囲】
【請求項１】
列車での携帯電話の通話を制限する通話制限システムであって、
予約サーバと携帯電話中央サーバと交換機と予約端末がネットワークにより接続された構成をとり、
前記予約サーバが前記予約端末からのネットワークを通した操作により、列車の利用予約手続きを行うときに用いられ、
前記利用予約手続きは、予約者の携帯電話の電話番号を含むデータの入力を行い、
前記列車を利用する時間は、前記交換機により前記予約者の前記電話番号の携帯電話への接続、あるいは前記予約者の前記電話番号の携帯電話からの交換機との接続を禁止し、前記携帯電話を用いての通話を制限することを特徴とする通話制限システム。
【請求項２】
携帯電話使用禁止施設での携帯電話の通話を制限する通話制限システムであって、
予約サーバと携帯電話中央サーバと交換機と予約端末がネットワークにより接続された構成をとり、
前記予約サーバが前記予約端末からのネットワークを通した操作により、施設の利用予約手続きを行うときに用いられ、
前記利用予約手続きは、予約者の携帯電話の電話番号を含むデータの入力を行い、
前記施設が前記携帯電話使用禁止施設である場合には、前記施設を利用する時間は、前記交換機により前記予約者の前記電話番号の携帯電話への接続、あるいは前記予約者の前記電話番号の携帯電話からの交換機との接続を禁止し、前記携帯電話を用いての通話を制限することを特徴とする通話制限システム。
【請求項３】
前記携帯電話中央サーバは、前記交換機を介して、前記携帯電話の通話制限を行う時刻の前に前記携帯電話の前記通話制限を行う予告メールを送信し、前記携帯電話の表示画面に予告メールを表示することを特徴とする請求項１または２記載の通話制限システム。
【請求項４】
前記交換機は、前記携帯電話の通話制限時において、通話制限解除信号を受信したときには、通話制限を解除することを特徴とする請求項１または２記載の通話制限システム。
【請求項５】
前記通話制限解除信号は、前記携帯電話の特定の番号を入力しコールしたときに生じる信号であることを特徴とする請求項４記載の通話制限システム。
【請求項６】
前記通話制限解除信号は、前記携帯電話とは別の特定の信号を発信する解除器から発信させることを特徴とする請求項４記載の通話制限システム。
【発明の詳細な説明】
【０００１】
【発明の属する技術分野】
本発明は、通話制限システムに係り、特に、予約サーバと携帯電話中央サーバと交換機がネットワークにより構成され、列車または施設の予約手続きをした利用者が予約した列車に乗車しているとき、または予約した施設を使用するときに携帯電話による通話を制限する通話制限システムに関するものである。
【０００２】
【従来の技術】
従来、予約した列車に乗車したり、予約したコンサートや予約したイベントに参加するため携帯電話使用禁止施設に入場した場合、利用者が携帯電話を所有していると、その携帯電話を使用したり、携帯電話の着信が起こったりする状態になっている。すなわち、携帯電話を自由に使える状態となっており、マナーを無視して携帯電話を利用する人たちが存在していた。また、電子機器に与える影響を低減するために携帯電話の利用を制限する方法は開示されている（例えば、特許文献１参照）。
【０００３】
【特許文献１】
特開２０００−３２５５７公報
【０００４】
【発明が解決しようとする課題】
しかしながら、列車に乗車しているときや、コンサートやイベント会場となる施設において、携帯電話を用いることができると、マナーを無視して通話をしたり、着信したりすることが起こり、他の人に迷惑をかけてしまうという問題点がある。
【０００５】
本発明の目的は、上記問題点を解決するためになされたもので、列車内や携帯電話使用禁止施設においての携帯電話の通話を制限することができる通話制限システムを提供することにある。
【０００６】
【課題を解決するための手段および作用】
本発明に係る通話制限システムは、上記の目的を達成するため、次のように構成される。
【０００７】
第１の通話制限システム（請求項１に対応）は、列車での携帯電話の通話を制限する通話制限システムであって、予約サーバと携帯電話中央サーバと交換機と予約端末がネットワークにより接続された構成をとり、予約サーバが予約端末からのネットワークを通した操作により、列車の利用予約手続きを行うときに用いられ、利用予約手続きは、予約者の携帯電話の電話番号を含むデータの入力を行い、列車を利用する時間は、交換機により予約者の電話番号の携帯電話への接続、あるいは予約者の電話番号の携帯電話からの交換機との接続を禁止し、携帯電話を用いての通話を制限することで特徴づけられる。
【０００８】
第１の通話制限システムによれば、予約者は利用予約手続きを予約者の携帯電話の電話番号を含むデータの入力を行い、列車を利用する時間は、交換機により予約者の電話番号の携帯電話への接続、あるいは予約者の電話番号の携帯電話からの交換機との接続を禁止し、携帯電話を用いての通話を制限するため、列車に乗車しているときに携帯電話で通話をしたり、着信したりすることが起こらず、他の人に迷惑をかけてしまうということをなくすことができる。
【０００９】
第２の通話制限システム（請求項２に対応）は、携帯電話使用禁止施設での携帯電話の通話を制限する通話制限システムであって、予約サーバと携帯電話中央サーバと交換機と予約端末がネットワークにより接続された構成をとり、予約サーバが予約端末からのネットワークを通した操作により、施設の利用予約手続きを行うときに用いられ、利用予約手続きは、予約者の携帯電話の電話番号を含むデータの入力を行い、施設が携帯電話使用禁止施設である場合には、施設を利用する時間は、交換機により予約者の電話番号の携帯電話への接続、あるいは予約者の電話番号の携帯電話からの交換機との接続を禁止し、携帯電話を用いての通話を制限することで特徴づけられる。
【００１０】
第２の通話制限システムによれば、予約者は利用予約手続きを予約者の携帯電話の電話番号を含むデータの入力を行い、施設を利用する時間は、交換機により予約者の電話番号の携帯電話への接続、あるいは予約者の電話番号の携帯電話からの交換機との接続を禁止し、携帯電話を用いての通話を制限するため、施設内にいるときに携帯電話で通話をしたり、着信したりすることが起こらず、他の人に迷惑をかけてしまうということをなくすことができる。
【００１１】
第３の通話制限システム（請求項３に対応）は、上記の構成において、好ましくは、携帯電話中央サーバは、交換機を介して携帯電話の通話制限を行う時刻の前に携帯電話の通話制限を行う予告メールを送信し、携帯電話の表示画面に予告メールを表示することで特徴づけられる。これにより、通話制限が行われることを事前に知らせることができる。
【００１２】
第４の通話制限システム（請求項４に対応）は、上記の構成において、好ましくは、交換機は、携帯電話の通話制限時において、通話制限解除信号を受信したときには、通話制限を解除することで特徴づけられる。これにより、非常時には、通話を行うことができるようにすることができる。
【００１３】
第５の通話制限システム（請求項５に対応）は、上記の構成において、好ましくは、通話制限解除信号は、携帯電話の特定の番号を入力しコールしたときに生じる信号であることで特徴づけられる。これにより、非常時には携帯電話により通話を可能とすることができる。
【００１４】
第６の通話制限システム（請求項６に対応）は、上記の構成において、好ましくは、通話制限解除信号は、携帯電話とは別の特定の信号を発信する解除器から発信させることで特徴づけられる。これにより、非常時あるいは、列車を途中下車したときに、駅員により解除器によって通話制限解除を行うことにより携帯電話を利用可能とすることができる。
【００１５】
【発明の実施の形態】
以下に、本発明の好適な実施形態を添付図面に基づいて説明する。
【００１６】
図１と図２は、本発明の実施形態に係る通話制限システムの構成を説明するための図である。図１と図２に示すように、通話制限システムは予約サーバ１００と予約端末２００と予約端末３００が接続され、携帯電話中央サーバ４００が予約サーバ１００と接続され、携帯電話中央サーバ４００は複数の交換機５００−１，５００−２，５００−３を接続された構成をとる。また、予約サーバ１００には、データベース６００−１，６００−２が接続されており、データベース６００−１には時刻表が記憶されており、データベース６００−２には、イベント情報が記憶されている。
【００１７】
予約サーバ１００は、利用予約入力画面作成モジュール１０と予約情報作成モジュール１１とデータ格納部入出力モジュール１２と確認モジュール１３と予約キャンセル料処理モジュール１４と入金確認モジュール１５と通信モジュール１６とデータ格納部１７からなっている。予約端末２００は、予約手続き処理モジュール２０と通信モジュール２１からなっている。予約端末３００は、予約手続き処理モジュール３０と金銭収受部３１と照合回路３２とデータ記憶部３３と通信モジュール３４と発券機３５と発券処理モジュール３６からなっている。携帯電話中央サーバ４００は、照合回路４２とメッセージ出力装置制御部４３と通話制限指令出力制御部４４とデータ記憶部４５と通信モジュール４６からなっている。交換機５００−１，５００−２，５００−３は、携帯電話からの呼び出し（コール）を受信して、呼び出された携帯電話を接続し、また、携帯電話への呼び出しを行う。また、携帯電話中央サーバからの通話制限指令信号を受信することにより、対応する携帯電話への接続と、携帯電話からの接続を禁止する作用をする。
【００１８】
図２において、予約サーバ１００、予約端末２００、予約端末３００には、入力装置１０１，２０１，３０１が接続されており、また、ディスプレイ等の出力装置１０２，２０２，３０２が接続されている。また、予約端末３００には、予約手続き処理モジュール３０と金銭収受部３１と照合回路３２とデータ記憶部３３と通信モジュール３４と発券機３５と発券処理モジュール３６を備えている。予約端末２００は、利用者所有のインターネットに接続されたパーソナルコンピュータや駅や窓口に備えられたインターネットに接続されたパーソナルコンピュータなどであり、また、予約端末３００は、駅や、イベント会場、コンサートホール、また、街角のサービスセンタに備えられた発券機としての機能を有する端末である。
【００１９】
予約サーバ１００の利用予約入力画面作成モジュール１０は、予約サーバ１００が利用予約入力画面呼び出し命令を受信したときに利用予約画面を作成する機能を有する。予約情報作成モジュール１１は、予約サーバ１００が予約端末２００あるいは予約端末３００から送信された列車あるいは施設の種類（コンサートホールやイベント会場）についての情報を受信したときに、予約状況の検索を実行する機能を有する。また、予約情報作成モジュール１１は、予約状況の検索を実行した後に対応する日時の予約リストを作成する機能を有する。データ格納部入出力モジュール１２は、データ格納部１７のデータと照合し、その登録と、登録の消去を行う機能を有する。確認モジュール１３は、予約サーバ１００が予約端末２００からの予約申し込みなどを受信したときに予約状況と照合し、希望の日時に空席があれば、座席番号を決定して、その座席番号と確認の画面情報を作成する機能を有する。予約キャンセル料処理モジュール１４は、予約のキャンセルが所定の時間前以降に行われたとき、キャンセルした時点でのキャンセル料の計算を行い、そのキャンセル料とその払い込み方法の画面情報を作成する機能を有する。入金確認モジュール１５は、予約端末３００の金銭収受部３１に入金され、その情報を予約サーバ１００が受信したときに、必要な金額と、実際に入金された金額とを比較して、一致していれば発券通知を通信モジュール１６を用いて予約端末３００に送信し、予約端末３００の発券機３５によって発券し、一致していなければ、発券禁止通知と不足分の金額情報を予約端末３００に通信モジュール１６を用いて送信する機能を有する。通信モジュール１６は、予約端末２００、予約端末３００あるいは携帯電話中央サーバ４００にネットワークを通して各情報を送信する機能を有し、また、予約端末２００あるいは予約端末３００からのネットワークを通しての各情報を受信する機能を有する。
【００２０】
予約端末２００の予約手続き処理モジュール２０は、利用予約画面呼び出し命令の送信と、受信した予約サーバ１００からの予約リストを出力装置２０２の出力画面に表示し、予約申し込みを入力装置２０１を用いて行う機能を有する。通信モジュール２１は、入力装置２０１から入力された各情報をネットワーク３００を通して予約サーバ１００に送信する機能と、予約サーバ１００からネットワークを通して送信された各情報を受信する機能を有する。
【００２１】
予約端末３００の予約手続き処理モジュール３０は、列車、コンサート、イベントの種類の表示と、予約状況を示すためのカレンダーの表示とその日付が入力されたときに、その日付を予約サーバ１００に通信モジュール３４を用いて送信し、予約サーバ１００から送信され出力画面に表示された空席状況を表示し、利用者が予約を希望する日付と時間帯の入力あるいは、予約後のキャンセルの入力と、その情報を通信モジュール３４を用いて予約サーバ１００に送信する機能を有する。通信モジュール３４は、各入力情報をネットワークを通して予約サーバ１００に送信する機能を有する。また、予約サーバ１００からネットワークを通して送信されてくる各情報を受信する機能を有する。
【００２２】
予約端末３００の発券処理モジュール３６は、予約した利用者が予約したときに通知された座席番号と予約者の氏名が入力されたときに、それらの情報を予約サーバ１００に送信する。また、予約サーバ１００から入金指示の表示が送信されたときに、利用者が金銭収受部３１に入金し、その入金を確認し、その入金したという情報を予約サーバ１００に送信する。また、入金確認したとき、発券機から発券する。
【００２３】
携帯電話中央サーバ４００の照合回路４２は、携帯電話から交換機５００−１，５００−２，５００−３のいずれかを介して呼び出しの発信があったとき、その交換機で受信された呼び出しを行っている携帯電話の電話番号がデータ記憶部４５に記憶された電話番号かどうか照合する。また、他の電話から携帯電話への接続の要求があったとき、その呼び出された携帯電話の電話番号がデータ記憶部４５に記憶された電話番号かどうか照合する。
【００２４】
携帯電話中央サーバ４００のメッセージ出力装置制御部４３は、呼び出している携帯電話の電話番号がデータ記憶部４５に記憶された電話番号であるとき、その呼び出し元の電話に、呼び出している携帯電話が通話制限中であることを知らせるメッセージを送る。
【００２５】
携帯電話中央サーバ４００の通話制限指令出力制御部４４は、データ記憶部に記憶された電話番号の携帯電話への接続を禁止するように交換機に通話制限指令信号を送信するものである。また、通話制限が必要な時間が終了した場合、携帯電話から交換機に通話制限解除の信号が送信された場合、あるいは、解除器から交換機に通話制限解除の信号が送信された場合には、交換機への通話制限解除信号を送信する。
【００２６】
携帯電話中央サーバ４００のデータ記憶部４５は、予約サーバ１００から送信された通話制限を行う携帯電話の電話番号と予約内容を記憶するものである。
【００２７】
携帯電話中央サーバ４００の通信モジュール４６は、予約サーバ１００からの情報を受信し、また、交換機への信号を送信し、交換機からの信号を受信するものである。
【００２８】
予約端末３００は、各駅やイベント会場、コンサートホールなどの施設毎に設置されている。図３にその構成を示す。例えば、予約端末３００は、駅予約端末３００−１は、発券所予約端末３００−２、イベント会場予約端末３００−３、コンサートホール予約端末３００−４があり、それらの予約端末３００−１，３００−２，３００−３，３００−４が予約サーバ１００とネットワーク７００により接続されている。
【００２９】
各予約端末３００−１，３００−２，３００−３，３００−４は、入力装置と出力装置を備えている。図４に入力装置と出力装置の具体的な構成を示す。文字を入力するためのキーボード等の文字入力装置３１０−１、数値を入力するためのキーボード等の数値入力装置３１０−２、了解ボタン３１０−３、キャンセルボタン３１０−４、列車あるいは施設の種類ボタン３１０−５と入力した座席番号を表示する座席番号表示部３２０−１、入力した名前と電話番号を表示する名前表示部３２０−２、予約状況を表示するためのディスプレイ３２０−３を備えている。
【００３０】
また、予約端末３００は、使用料の収受部３１と料金が入れられたときと座席番号と氏名と電話番号を入力したときに動作する発券機３５と、照合回路３２とデータ記憶部３３を備えている。
【００３１】
次に、本実施形態の通話制限システムにおける予約手続き処理を詳細に説明する。図５は予約端末２００の処理を示し、図６は、予約サーバ１００の処理を示し、図７は、予約端末３００の処理を示す。
【００３２】
なお、通話制限システムの予約手続き処理は、予約サーバ１００、予約端末２００，３００が互いに通信して行われていくため、予約サーバ１００、予約端末２００，３００の処理をそれぞれ独立して説明しないで、本実施形態では上述した図５〜７を用いて通話制限システム全体における処理の流れとして説明していく。
【００３３】
本実施形態の通話制限システムのインターネットに接続されたパーソナルコンピュータなどによる端末からの予約手続き処理は、まず、利用者が予約端末２００の入力装置２０１より利用予約入力画面呼び出しの命令を入力し、予約手続き処理モジュール２０を通して通信モジュール２１により予約サーバ１００に送信する（図５のステップＳＴ４００）。以下のステップは予約端末２００では予約手続き処理モジュール２０と通信モジュール２１によって行われる。
【００３４】
利用予約入力画面呼び出しの命令を受信した（図６のステップＳＴ５００）予約サーバ１００は、利用予約入力画面作成モジュール１０により、利用予約画面を作成する（図６のステップＳＴ５０１）。予約サーバ１００は作成した利用予約入力画面を通信モジュール１６により、予約端末２００に送信する（図６のステップＳＴ５０２）。
【００３５】
予約端末２００は、利用予約入力画面を受信し（図５のステップＳＴ４０１）、出力装置２０２の画面上に表示する（図５のステップＳＴ４０２）。利用者は、出力装置２０２に表示された利用予約入力画面を見ながら、入力装置２０１により予約の種類、例えば、列車、コンサート、イベント等を入力する（図５のステップＳＴ４０３）。入力された予約の種類を通信モジュール２１により、予約サーバ１００に送信する（図５のステップＳＴ４０４）。
【００３６】
予約サーバ１００は、予約の種類の情報を受信し（図６のステップＳＴ５０３）、予約情報作成モジュール１１により予約状況の検索を実行する（図６のステップＳＴ５０４）。予約サーバ１００は、予約情報作成モジュール１１により対応する日時の予約リストを作成し（図６のステップＳＴ５０５）、その予約リストを予約端末２００に送信する（図６のステップＳＴ５０６）。予約リストには、その料金の情報も含んでいる。
【００３７】
予約端末２００は、予約リストを受信し、予約手続き処理モジュール２０により出力装置２０２の出力画面に表示する（図５のステップＳＴ４０５）。そのとき、カレンダーの日付を図示しないマウスによりクリックした場合、その対応した日付の予約状況が列車の場合は、列車名、イベントの場合は、イベント名、コンサートの場合は、コンサート名毎表示される。
【００３８】
利用者は、予約端末２００の入力装置２０１から、利用日時、列車名やイベント名あるいはコンサート名、氏名、住所、電話番号などの予約申し込み情報の入力を行う（図５のステップＳＴ４０６）。その情報を通信モジュール２１により、予約サーバ１００に送信する（図５のステップＳＴ４０７）。
【００３９】
予約申し込み情報を受信した（図６のステップＳＴ５０７）予約サーバ１００は、確認モジュール１３により予約状況と照合し（図６のステップＳＴ５０８）、予約あるなしを判断し（図６のステップＳＴ５０９）、希望の日時に空席があれば、座席番号を割り振りし決定して（図６のステップＳＴ５１０）、その座席番号と確認の画面（氏名、住所など、乗車賃、入場料）を通信モジュール１６により、予約端末２００に送信する（図６のステップＳＴ５１１）。また、満席の場合は、予約できないことを通知する（図６のステップＳＴ５１２）。
【００４０】
予約端末２００は、座席番号などを含む確認情報入力画面を受信する（図５のステップＳＴ４０８）。利用者は、出力装置２０２の表示画面を見て、予約できない場合は（図５のステップＳＴ４０９）、再び予約を申し込みし直したいときは（図５のステップＳＴ４１０）、図５のステップＳＴ４０５の予約リスト表示に戻る。予約をしないときは終了する。予約できたときは（図５のステップＳＴ４０９）、座席番号などを確認して（図５のステップＳＴ４１１）、予約するかどうか判断し（図５のステップＳＴ４１２）、それで決定するときは、出力画面上に表示された了解のボタンを図示しないマウスによりクリックして、決定の情報を送信する（図５のステップＳＴ４１３）。キャンセルするときは、出力画面上に表示されたキャンセルボタンを図示しないマウスによりクリックして送信する（図５のステップＳＴ４１４）。
【００４１】
その了解、キャンセルの情報を予約サーバ１００は受信し（図６のステップＳＴ５１３）、登録決定あるいは、予約なしの情報がデータ格納部１７に格納される（図６のステップＳＴ５１４）。
【００４２】
また、予約後、キャンセルしたい場合は、出力画面上に表示されたキャンセルボタンを図示しないマウスによりクリックすることにより、キャンセル入力画面が出てくるので、そこに、座席番号を入力する。それにより、その情報が、予約サーバ１００に送信され、データ格納部入出力モジュール１２によりデータ格納部１７のデータと照合し、その登録が消去される。なお、そのキャンセルは、予約日時から、所定の時間前までは、そのまま登録が消去されるだけであるが、所定の時間前以降では、予約キャンセル料処理モジュール１４が動作し、そのキャンセルした時点でのキャンセル料の計算を行い、そのキャンセル料と、その払い込み方法が送信され、予約端末２００の出力画面に表示される。この予約端末で予約をしたときは、駅の窓口などで係員に料金を支払い、券を受け取るか、銀行や郵便局に料金を振り込み、券を郵送してもらうか、また、予約端末３００を用いて料金を支払い、券を受け取るようにする。
【００４３】
次に、予約端末３００からの予約手続き処理について説明する。図４で示す入力画面から、予約の種類ボタンを３１０−５の列車、コンサート、イベントいずれかのボタンを押す（図７のステップＳＴ６００）。それにより、対応する施設の予約状況を示すためのカレンダーが表示される（図７のステップＳＴ６０１）。そのカレンダーの日付を数値入力装置３１０−２により入力することにより、予約サーバ１００に送信され（図７のステップＳＴ６０２）、予約情報作成モジュール１１により、データ格納部１７から予約状況が出力され、それが、予約端末３００の出力画面３２０−３に表示される（図７のステップＳＴ６０３）。
【００４４】
利用者は、空席状況をみて、予約を希望する日付と列車名やイベント名あるいはコンサート名をキーにより入力する（図７のステップＳＴ６０４）。予約端末３００は、通信モジュール３４により、予約サーバ１００に送信する（図７のステップＳＴ６０５）。確認モジュール１３により、データ格納部１７に格納された予約状況と照合し、予約あるなしを判断し（図７のステップＳＴ６０６）、予約されていなければ、座席番号が予約端末３００に送信され、出力装置に表示される（図７のステップＳＴ６０７）。そして、予約するかどうか判断し（図７のステップＳＴ６０８）、それでよければ、氏名と電話番号を入力し決定ボタンをおすことにより、正式に登録される（図７のステップＳＴ６０９）。また、キャンセルならば、キャンセルボタンを押すことにより、登録が消去される（図７のステップＳＴ６１０）。予約されている場合には、予約済みの表示がでて（図７のステップＳＴ６１１）、再び予約入力画面になる。終了ならば終了ボタンを押す。この操作は、当日利用時間帯前であれば、いつでも行うことができる。
【００４５】
また、予約手続きは、駅や発券所に出向き、担当者により、口頭で伝えることにより、予約サーバ１００の入出力画面を通して直接予約することもできる。
【００４６】
発券処理は、まず、予約した利用者（当日その場で予約したものも含む）は、まず、予約端末３００に、予約したときに通知された座席番号と予約者の氏名と電話番号を入力する（図８のステップ７００）。それにより、通信モジュール３４により、その座席番号と氏名と電話番号がネットワークを通して予約サーバ１００に送信される（図８のステップ７０１）。
【００４７】
予約サーバ１００は、そのデータを受信し（図９のステップＳＴ８００）、データ格納部入出力モジュール１２により、データ格納部１７のデータと照合する（図９のステップ８０１）。その照合により、予約列車名（イベント名、コンサート名）と氏名と座席番号が一致するかどうか判断し（図９のステップＳＴ８０２）、一致した場合、入金指示の表示が送信される（図９のステップＳＴ８０３）。予約列車名（イベント名、コンサート名）と氏名と電話番号と座席番号が一致しない場合、登録なしの表示がなされ、再び入力待ち状態となる。
【００４８】
その指示に従って、利用者は、入金する（図８のステップＳＴ７０３）。それにより、予約端末は入金を確認し（図８のステップＳＴ７０４）、その情報を通信モジュール３４により、予約サーバ１００に送信する（図８のステップＳＴ７０５）。予約サーバ１００は、入金確認モジュール１５により、必要な金額と、実際に入金された金額とを比較して、一致しているかどうか判断し（図９のＳＴ８０５）、一致していれば、発券通知を送信し（図９のステップＳＴ８０６）、予約端末は発券通知を受信し（図８のステップＳＴ７０６）、発券機から発券される（図８のステップＳＴ７０７）。入金された金額と一致しない場合、入金指示の表示の通信が行われる。
【００４９】
図１０は、列車あるいは施設使用時の携帯電話中央サーバの処理フローチャートである。利用者が、予約時間帯の所定の時間前に携帯電話中央サーバ４００は、予告メールを送信する。列車乗車時、イベントやコンサートが行われている時間帯に交換機に携帯電話からの呼び出しがあったとき（図１０のステップＳＴ９００）、時間を確認後（図１０のステップＳＴ９０１）、携帯電話中央サーバのデータ記憶部４５から、電話番号（登録データ）が読み出される（図１０のステップＳＴ９０２）。そして、照合回路４２により、呼び出しのあった携帯電話の電話番号が、その登録データとの照合が行われる（図１０のステップＳＴ９０３）。そして、登録されているかどうか判断して（図１０のステップＳＴ９０４）、その登録データにその電話番号が存在することが確認されたら、通話制限指令の命令が交換機に送られる（図１０のステップＳＴ９０５）。それにより、交換機が通話制限される。使用者は、通話できなくなる。
【００５０】
登録データとの照合が行われ（図１０のステップＳＴ９０３）、呼び出しのあった電話番号と氏名が存在しない場合には、通話制限せず（図１０のステップＳＴ９０６）、通話制限指令の命令は出されず、交換機は、通常のままの状態となっている。これにより、通話は常に可能となる。
【００５１】
通話制限中に、他の電話からその通話制限された携帯電話に呼び出しがあったときは、携帯電話中央サーバ４００のメッセージ出力装置制御部４３により、その電話に、呼び出している携帯電話が通話制限中であることを通知する。
【００５２】
図１０のステップＳＴ９０７において、通話制限時間終了かどうか判断し、終了しているときは、ステップＳＴ９０５に戻る。また、通話制限する時間が終了すると、通話制限指令出力制御部４４から通話制限解除信号が交換機に送られ（図１０のステップＳＴ９０８）、通話制限が解除される。そして、データ記憶部４５から対応する登録データを消去する（図１０のステップＳＴ９０９）。これにより、携帯電話は通話可能となる。
【００５３】
また、通話制限中に携帯電話から特定の番号をコールすると、交換機で受信したその番号を携帯電話中央サーバ４００の通話制限指令出力制御部４４が認識し、通話制限指令出力制御部４４から通話制限解除信号が交換機に送られ、通話制限が解除される。これにより、非常時には携帯電話により通話を可能とすることができる。
【００５４】
また、通話制限中の解除器から通話制限を解除する信号を送信することにより、携帯電話中央サーバ４００の通話制限指令出力制御部４４が認識し、通話制限解除信号を交換機に送られ、通話制限が解除される。これにより、非常時あるいは、列車を途中下車したときに、駅員により解除器によって通話制限解除を行うことにより携帯電話を利用可能とすることができる。また、この解除器を火災報知器に取り付け、施設に火災が起こり、火災報知器が動作したときに連動して解除器を動作させるようにすることにより、火災時に携帯電話を使用可能にすることもできる。
【００５５】
なお、本発明では、予約手続きに予約端末を用いたが、予約手続き処理モジュールと同等な機能を有するデータ通信機能を有する携帯電話を用いることもできる。
【００５６】
【発明の効果】
以上の説明で明らかなように本発明によれば、次の効果を奏する。
【００５７】
予約者は利用予約手続きを予約者の携帯電話の電話番号を含むデータの入力を行い、列車を利用する時間は、交換機により予約者の電話番号の携帯電話への接続、あるいは予約者の電話番号の携帯電話からの交換機との接続を禁止し、携帯電話を用いての通話を制限するため、列車に乗車しているときに携帯電話で通話をしたり、着信したりすることが起こらず、他の人に迷惑をかけてしまうということをなくすことができる。
【００５８】
また、予約者は利用予約手続きを予約者の携帯電話の電話番号を含むデータの入力を行い、施設を利用する時間は、交換機により予約者の電話番号の携帯電話への接続、あるいは予約者の電話番号の携帯電話からの交換機との接続を禁止し、携帯電話を用いての通話を制限するため、施設内にいるときに携帯電話で通話をしたり、着信したりすることが起こらず、他の人に迷惑をかけてしまうということをなくすことができる。
【図面の簡単な説明】
【図１】本発明の実施形態に係る通話制限システムの構成を説明するための図である。
【図２】本発明の実施形態に係る通話制限システムの構成を説明するための図である。
【図３】予約端末の構成を示す図である。
【図４】予約端末の入出力装置の具体的な構成を示す図である。
【図５】予約手続き処理における予約端末の処理フローチャートである。
【図６】予約手続き処理における予約サーバの処理フローチャートである。
【図７】予約手続き処理における予約端末の処理フローチャートである。
【図８】発券手続きにおける予約端末の処理フローチャートである。
【図９】発券手続き処理における予約サーバの処理フローチャートである。
【図１０】通話制限時の携帯電話中央サーバの処理フローチャートである。
【符号の説明】
１０          利用予約入力画面作成モジュール
１１          予約情報作成モジュール
１２          データ格納部入出力モジュール
１３          確認モジュール
１４          予約キャンセル料処理モジュール
１５          入金確認モジュール
１６          通信モジュール
２０          予約手続き処理モジュール
２１          通信モジュール
３０          予約手続き処理モジュール
３１          金銭収受部
３２          照合回路
３３          データ記憶部
３４          通信モジュール
３５          発券機
３６          発券処理モジュール
４２          照合回路
４３          メッセージ出力装置制御部
４４          通話制限指令出力制御部
４５          データ記憶部
４６          通信モジュール
１００        予約サーバ
２００        予約端末
３００        予約端末
４００        携帯電話中央サーバ
【図１】
2004194061.tif 000003
【図２】
2004194061.tif 000004
【図３】
2004194061.tif 000005
【図４】
2004194061.tif 000006
【図５】
2004194061.tif 000007
【図６】
2004194061.tif 000008
【図７】
2004194061.tif 000009
【図８】
2004194061.tif 000010
【図９】
2004194061.tif 000011
【図１０】
2004194061.tif 000012